(57)【要約】      （修正有）【課題】筋肉の中に蓄積された脂肪に対して押圧、脂肪取りの作用を与える脂肪取り按摩器を提供する。【解決手段】速度可変モーター１３のメーンギア１５によって受動ギア１６を駆動して回転させることを利用して、一個以上の按摩凸球１８を受動ギアの起動に従って偏心回転の運動をさせ、かつ隣り合う按摩凸球が運転期間に渡って、局所の筋肉に対して快速な押し詰め作用を生じることができ、他に赤外線の効果またはマイナスイオンの効果のある生成装置を増設したため、脂肪取り、按摩との効果が実現できる。【選択図】図１
0003110395.tif 000002
【実用新案登録請求の範囲】
【請求項１】
一種の脂肪取り按摩器であり、主としては速度可変モーターのメーンギアを利用することにより、一個以上の受動ギアを駆動して回転させることができ、該受動ギアには曲げ状の駆動軸を繋いで、該駆動軸の一端に按摩凸球が設けてあるために受動ギアの起動に従って按摩凸球が偏心回転をすることができ、かつ隣り合う按摩凸球が運転する間、局所の筋肉に対してスピーディな押し詰め作用を行って、脂肪取り、按摩という効果が実現できることを特徴とする脂肪取り按摩器。
【請求項２】
該速度可変モーターは、メーンギアが受動ギアをかみ合わせる構造によって、一つの主体の内部に組み立てられることができ、かつカバーで覆われるようになり、そして其々の按摩凸球を該カバーの外部に露出させて、かつ該主体の一端にはコードが外部電力を接続するための把持部がある請求項１に記載された脂肪取り按摩器。
【請求項３】
該駆動軸の周りに赤外線効果或いはマイナスイオン効果のある生成装置を増設することができる請求項１に記載された脂肪取り按摩器。
【請求項４】
一種の脂肪取り按摩器であり、
主体があり、これをカバーで覆うことができ、その一端にコードが外部の電力を接続するための把持部があり、速度可変モーターがあり、メーンギアを駆動することで一個以上の受動ギアを連動させ、該受動ギアは、中間が折り曲げ部になる駆動軸の一端と連結して、該主体の内部に組み立てられ、該駆動軸のもう一端は按摩凸球と繋がってかつ該カバーの外部に露出し、生成装置があり、これは赤外線効果またはマイナスイオン効果が有して、該駆動軸の周りに組み立てられ、
該按摩凸球が受動ギアの起動に従って偏心回転をし、かつ隣り合う按摩凸球が運転する間、局所の筋肉に対してスピーディな押し詰め作用を行って脂肪取り、按摩との効果が実現できることを特徴とする脂肪取り按摩器。
【考案の詳細な説明】
【技術分野】
【０００１】
本考案は按摩器の構造の改良に関するものであり、特に一種の、使用者が楽に片手で握って、かつ好きな場所で使用できて、更に優れた按摩、脂肪取りなど積極的効果を持つ考案である。
【背景技術】
【０００２】
現在市販の按摩器の作用の発生方式と言えば、殆どが振動または定点での叩きなど按摩方式を主にしていて、その中において、振動方式の按摩は通常、快速な振動作用部によって局所の筋肉に対して揺れ効果を与えるものであり、一方、定点での叩き方式は人体の筋肉の特定部位（特にツボ部位）に対して一定の圧力を与えて筋肉を緩め、気楽にさせるなど作用・効果を実現するものである。
【考案の開示】
【考案が解決しようとする課題】
【０００３】
しかしながら、前記の按摩方式では筋肉の中に蓄積された脂肪に対して押圧、脂肪取りの作用を与えることができない。そこで考案人は本考案を研究してそのような欠陥を解決しようと思案した。
【０００４】
本考案の目的の一つは、一種の脂肪取り、按摩との作用・効果が実現できる按摩器を提供することである。
【０００５】
本考案の目的の一つは、一種の生成装置を増設して脂肪取り、按摩との作用・効果が実現できる按摩器を提供することである。
【課題を解決するための手段】
【０００６】
本考案は、按摩器の構造の改良をして、かつ有効に従来の技術の欠陥が解決できるものであり、それは主として速度可変モーターのメーンギアによって受動ギアを駆動して回転させることを利用して、一個以上の按摩凸球を受動ギアの起動に従って偏心回転の運動をさせ、かつ隣り合う按摩凸球が運転期間に渡って、局所の筋肉に対して快速な押し詰め作用を生じることができ、他に赤外線の効果またはマイナスイオンの効果の持つ生成装置を増設した。
【実施例】
【０００７】
本考案の技術手段及び構造の特徴を図面を参照して以下に説明する。
【０００８】
まず、第１、２図に示されたものは本考案の一つのより優れた実施例の図であり、図面から分かるようにそれは次のようなものを含んでいる。
【０００９】
一つの主体１０があり、それが殻状のものからなり、一端に電線を包容する把持部１１があり、そこからコード１２が露出して電力と接続するようになる。
【００１０】
該主体１０の内部に速度可変モーター１３が組み立ててあり、該モーター１３のスピンドル１４が一つのメーンギア１５と連結することによって、一個以上の受動ギア１６を同期に運転させることができ、一つ一つの受動ギア１６に曲げ状の駆動軸１７が繋いであり、該駆動ギア１７がカバー１９から露出した一端に按摩凸球１８が設けてある。
【００１１】
第４図から見ると、該駆動軸１７の中間部位が折り曲げ部１７１に形成して、かつ細長い首部１７２になるように伸びて、また末端の体積が首部１７２の頭端より大きくて、中空状の按摩凸球１８の一端にある、孔の直径がより狭い入り口１８２に押し詰められて内部にある収め空間１８１と結合されるため、離脱して落ちることがなくなる。
【００１２】
上述したパーツの組立によってモーター１３は起動されてメーンギア１５をあるスピードまで回転するように駆動させると、其々の受動ギア１６も同期にそれに従って運転するようになり、其々の駆動軸１７にある按摩凸球１８を連れて偏心回転の運動を行わせる。上記の説明により以下のことが分かる。第１図に示された主体１０を人体の、例えば腰、腹などの部位に押さえると、隣り合う按摩凸球１８が偏心回転運動に対して局所の筋肉を内へだんだん押し詰めて隆起させたり外へだんだん引っ張って隆起を平らにさせたりする。
【００１３】
また、第３図から分かるように、本考案では、其々の駆動軸１７の間または周りに赤外線生成装置２０及びマイナスイオン生成装置２１を増設しているため、使用者がその中の一つまたは二つの生成装置２０，２１をスタート或いはストップして所望の筋肉に一層按摩、脂肪取りの効果を与えることができる。
【図面の簡単な説明】
【００１４】
【図１】本考案のより優れた実施例の一つでかつ点線で駆動素子の連結関係を表す側面図である。
【図２】本考案のより優れた実施例の一つでメーンギアと受動ギアとの連結関係を表す平面図である。
【図３】本考案の生成装置が第１図の実施例の中にある局所に増設された立体図である。
【図４】第１図の中にある按摩凸球と駆動軸との連結関係を関する断面図である。
【符号の説明】
【００１５】
１０  本体
１１  把持部
１２  コード
１３  速度可変モーター
１４  スピンドル
１５  メーンギア
１６  受動ギア
１７  駆動軸
１７１  折り曲げ部
１７２  首部
１７３  頭部
１８  按摩凸球
１８１  収め空間
１８２  入り口
１９  カバー
２０  赤外線生成装置
２１  マイナスイオン生成装置
【図１】
0003110395.tif 000003
【図２】
0003110395.tif 000004
【図３】
0003110395.tif 000005
【図４】
0003110395.tif 000006